(57)【特許請求の範囲】
【請求項１】
ダッシュボードに覆われる位置において車両の左右方向に沿って設定された共通のレバー回転軸心を中心として回転可能に配設した複数の操作レバーと、
車両の前方部においてフロアパネルよりも下方となる部位に左右方向に沿って並設し、個々の上面にバルブ入力部を有した複数の油圧コントロールバルブと、
前記操作レバーの操作基部からそれぞれ下方に向けて互いに平行に延び、対応するバルブ入力部との間を連係する複数のリンク部材と
を備え、操作レバーの操作部を介してリンク部材を上下に移動させることにより、バルブ入力部を介して油圧コントロールバルブを動作させるようにしたフォークリフトに適用される操作レバーロック装置であって、
それぞれのリンク部材の下方部に設けた係合部材と、個々の係合部材に係合可能な複数の係合部を有したストッパ部材とを備え、
前記ストッパ部材は、複数の係合部の並設方向に沿って移動することにより前記係合部が前記係合部材に対して係合する係合位置と前記係合部が前記係合部材から解除された解除位置とに変位し、前記係合位置に配置された場合には前記リンク部材の上下方向に沿った移動を規制するように配設し、
前記係合部は、それぞれ解除用切欠によって前記ストッパ部材の一側縁に開口し、かつ前記解除用切欠は、前記係合部材を挿通可能とする大きさを有し、
前記ストッパ部材を移動可能に配設したブラケット本体にアクチュエータを支持させるとともに、前記ブラケット本体と前記ストッパ部材との間に前記ストッパ部材を常時係合位置に向けて付勢する付勢部材を配設してユニット化し、該ユニット化したストッパ部材、ブラケット本体、アクチュエータ及び付勢部材は、前記複数の操作レバー及び前記複数の油圧コントロールバルブを支持したユニット支持体に支持させ、かつ前記ユニット支持体を介して車両に取り付けたことを特徴とする操作レバーロック装置。
【請求項２】
前記ストッパ部材は、プレート状を成し、前記係合位置に配置された場合に複数の係合部材のそれぞれに係合して前記リンク部材の上下方向に沿った移動を規制する複数の係合部を有したことを特徴とする請求項１に記載の操作レバーロック装置。
【請求項３】
前記係合部材は、前記ストッパ部材の係合部が係合可能となる寸法を有した係合軸部と、前記係合軸部の上下両端部に設けた太径の係合基部とを有し、前記ストッパ部材が前記係合位置に配置された場合に前記係合軸部と前記係合基部との間に構成される２つの当接端面をそれぞれ前記ストッパ部材に当接させることにより、前記リンク部材の上下方向に沿った移動を規制することを特徴とする請求項１に記載の操作レバーロック装置。
【請求項４】
前記係合部材の係合基部は、前記係合軸部に近接するに従って漸次外径が小さくなるテーパ部を有したことを特徴とする請求項３に記載の操作レバーロック装置。
【発明の詳細な説明】
【技術分野】
【０００１】
本発明は、フォークリフトの荷役操作を行う操作レバーをロックするための装置に関するものである。
【背景技術】
【０００２】
荷役作業を行うフォークリフトには、マストに対してフォークを昇降させたり、マストに対してフォークを左右に移動させるため、あるいは車両に対するマストのチルト角を変更するための複数の油圧シリンダが設けられている。これらの油圧シリンダは、ダッシュボードに設けられた複数の操作レバーを操作することで油圧コントロールバルブを切り替え動作させ、油の供給制御を行うことによって操作者が任意に操作することが可能である。
【０００３】
通常、この種のフォークリフトには、フォークが不用意に移動するのを防止するため、操作レバーをロックするための機構が設けられている。例えば、特許文献１では、ダッシュボードのアッパパネル上面にレバーロック装置を配設するとともに、レバーロック装置のスライダをリンクにより操作レバーに連係させるようにしている。スライダには、孔が設けられており、レバーロック装置のピンが挿入可能である。上記のように構成されたレバーロック装置では、ピンをスライダの孔に挿入した状態では、スライダの移動が規制されることになり、リンクを介して連係された操作レバーの移動も規制されることになる。従って、操作レバーが不用意に移動するのを防止することができる。操作レバーを操作する場合には、ピンに連結したソレノイドを励磁させると、スライダの孔からピンが抜き去られるため、スライダの移動ができるようになり、操作レバーの操作が可能となる。
【先行技術文献】
【特許文献】
【０００４】
【特許文献１】特開平９−８６８９７号公報
【発明の概要】
【発明が解決しようとする課題】
【０００５】
しかしながら、特許文献１に記載のものでは、ダッシュボードの近傍にレバーロック装置を設けなければ、レバーロック装置を操作レバーの操作端部に連係させることが困難となる。このため、レバーロック装置によって前方の視界が遮られる恐れがある。仮にレバーロック装置をダッシュボードの内部に収納したとしても、その分、ダッシュボードのアッパパネルの位置を変更しなければならないことになり、前方視界を改善することは困難である。特に、フォークリフトには、複数の操作レバーが設けられている場合が多いため、操作レバー毎に個別のレバーロック装置が必要となる特許文献１に記載のものでは、上述した問題が一層顕著となる。
【０００６】
本発明は、上記実情に鑑みて、前方の視界を妨げることなく、フォークの不用意な移動を確実に防止することのできる操作レバーロック装置を提供することを目的とする。
【課題を解決するための手段】
【０００７】
上記目的を達成するため、本発明に係る操作レバーロック装置は、ダッシュボードに覆われる位置において車両の左右方向に沿って設定された共通のレバー回転軸心を中心として回転可能に配設した複数の操作レバーと、車両の前方部においてフロアパネルよりも下方となる部位に左右方向に沿って並設し、個々の上面にバルブ入力部を有した複数の油圧コントロールバルブと、前記操作レバーの操作基部からそれぞれ下方に向けて互いに平行に延び、対応するバルブ入力部との間を連係する複数のリンク部材とを備え、操作レバーの操作部を介してリンク部材を上下に移動させることにより、バルブ入力部を介して油圧コントロールバルブを動作させるようにしたフォークリフトに適用される操作レバーロック装置であって、それぞれのリンク部材の下方部に設けた係合部材と、個々の係合部材に係合可能な複数の係合部を有したストッパ部材とを備え、前記ストッパ部材は、複数の係合部の並設方向に沿って移動することにより前記係合部が前記係合部材に対して係合する係合位置と前記係合部が前記係合部材から解除された解除位置とに変位し、前記係合位置に配置された場合には前記リンク部材の上下方向に沿った移動を規制するように配設し、前記係合部は、それぞれ解除用切欠によって前記ストッパ部材の一側縁に開口し、かつ前記解除用切欠は、前記係合部材を挿通可能とする大きさを有し、前記ストッパ部材を移動可能に配設したブラケット本体にアクチュエータを支持させるとともに、前記ブラケット本体と前記ストッパ部材との間に前記ストッパ部材を常時係合位置に向けて付勢する付勢部材を配設してユニット化し、該ユニット化したストッパ部材、ブラケット本体、アクチュエータ及び付勢部材は、前記複数の操作レバー及び前記複数の油圧コントロールバルブを支持したユニット支持体に支持させ、かつ前記ユニット支持体を介して車両に取り付けたことを特徴とする。
【０００８】
また、本発明は、上述の操作レバーロック装置において、前記ストッパ部材は、プレート状を成し、前記係合位置に配置された場合に複数の係合部材のそれぞれに係合して前記リンク部材の上下方向に沿った移動を規制する複数の係合部を有したことを特徴とする。
【００１０】
また、本発明は、上述の操作レバーロック装置において、前記係合部材は、前記ストッパ部材の係合部が係合可能となる寸法を有した係合軸部と、前記係合軸部の上下両端部に設けた太径の係合基部とを有し、前記ストッパ部材が前記係合位置に配置された場合に前記係合軸部と前記係合基部との間に構成される２つの当接端面をそれぞれ前記ストッパ部材に当接させることにより、前記リンク部材の上下方向に沿った移動を規制することを特徴とする。
【００１１】
また、本発明は、上述の操作レバーロック装置において、前記係合部材の係合基部は、前記係合軸部に近接するに従って漸次外径が小さくなるテーパ部を有したことを特徴とする。
【発明の効果】
【００１３】
本発明によれば、操作レバーの操作基部から下方に延びるリンク部材に係合部材を配設し、この係合部材にストッパ部材を係合させることにより、リンク部材を介して操作レバーの移動を規制するようにしているため、ダッシュボードの周囲に大きな部品を配設する必要がない。しかも、複数の操作レバーに対してリンク部材は個別に設ける必要があるものの、ストッパ部材を共用することができるため、操作レバーを複数備えるフォークリフトにあっても、部品点数を大幅に削減することができ、良好な前方視界を確保することができるようになる。
【図面の簡単な説明】
【００１４】
【図１】図１は、本発明の実施の形態である操作レバーロック装置を適用した荷役操作ユニット部を車両の後方側から見た図である。
【図２】図２は、図１に示した荷役操作ユニット部の断面側面図である。
【図３】図３は、図１に示した荷役操作ユニット部の要部を示す斜視図である。
【図４】図４は、図１に示した荷役操作ユニット部の要部を示す分解斜視図である。
【図５】図５は、リンク部材に設けた係合部材とストッパ部材との関係を示す拡大斜視図である。
【図６−１】図６−１は、図１に示した荷役操作ユニット部において係合部材とストッパ部材とが係合した係合位置をフロアパネルから見た平面図である。
【図６−２】図６−２は、図１に示した荷役操作ユニット部において係合部材とストッパ部材との係合が解除した解除位置をフロアパネルから見た平面図である。
【発明を実施するための形態】
【００１５】
以下に添付図面を参照して、本発明に係る操作レバーロック装置の好適な実施の形態について詳細に説明する。
【００１６】
図１及び図２は、本発明の実施の形態である操作レバーロック装置を適用したフォークリフトの要部を示したものである。ここで例示するフォークリフトは、複数の操作レバー１０と複数の油圧コントロールバルブ２０とを備えて荷役操作ユニット部１を構成しており、操作レバー１０の操作により油圧コントロールバルブ２０を切り替え動作させ、対応する油圧シリンダ（図示せず）を適宜伸縮させることによって所望の荷役作業を行うものである。図には示していないが、本実施の形態で例示するフォークリフトは、車両の前端部に設けたマストと、マストに対して移動可能に配設したバックレストと、バックレストに対して左右方向に移動可能に配設した一対のフォークとを備えたものである。
【００１７】
このフォークリフトには、マストに対してバックレストを昇降させる第１油圧シリンダと、車両に対してマストを前後にチルトさせる第２油圧シリンダと、バックレストをマストに対して左右に移動させる第３油圧シリンダと、バックレストに対して一対のフォークをそれぞれ個別に左右に移動させる第４油圧シリンダ及び第５油圧シリンダとが設けてある。これら５つの油圧シリンダを制御する荷役操作ユニット部１は、油の供給制御を行う５つの油圧コントロールバルブ２０を備えるとともに、それぞれの油圧コントロールバルブ２０を操作するための５つの操作レバー１０を備えている。これら操作レバー１０及び油圧コントロールバルブ２０は、ユニット支持体３０に支持させることによって上述の荷役操作ユニット部１を構成している。
【００１８】
操作レバー１０は、それぞれが円筒状を成す操作基部１１と、操作基部１１の外周面から外方に延びる操作部１２及び出力部１３とを備えて構成したものである。これらの操作レバー１０は、操作基部１１の中心孔に支持軸部材４０を挿通させることにより、支持軸部材４０の軸心（レバー回転軸心）４０ａを中心として回転可能となる状態で互いに並設してある。支持軸部材４０は、ユニット支持体３０の上端部に設けた支持部材３１によって両端部が支持されたもので、フロアパネルＦＬよりも上方で、車両の前方部に設けたダッシュボード５０の天板５１及び前板５２によって覆われる位置に、車両の左右方向に沿って略水平に配設してある。
【００１９】
操作レバー１０の操作部１２は、それぞれの操作基部１１から車両の後方に向けて漸次上方に傾斜するように延びた後、上方に向けて屈曲してダッシュボード５０の天板５１よりも上方に突出し、さらに車両の後方に向けて屈曲している。操作部１２の突出端部には、操作者が把持するためのグリップ１４が設けてある。
【００２０】
操作レバー１０の出力部１３は、それぞれの操作基部１１から車両の前方に向けて互いに等間隔に突出したもので、個々の突出端部にリンク部材６０を支持している。リンク部材６０は、横断面が円形で軸心が直線状に延びたロッド状の部材であり、個々の下端部がフロアパネルＦＬを貫通してその下方に達している。リンク部材６０の上端部は、それぞれ操作レバー１０の出力部１３に対して、車両の左右方向に沿って略水平に延びる軸心を中心として回転可能となるように接続してある。
【００２１】
油圧コントロールバルブ２０は、直方体状のバルブ本体２１を備えたもので、個々のバルブ本体２１の一端面にバルブ入力部２２を備えている。バルブ入力部２２は、図には示していないが、バルブ本体２１の内部に配設したスプールをバルブ本体２１の外部から切り替え動作させるための操作入力部分であり、バルブ本体２１に対して進退移動させた場合に、対応する油圧シリンダ（図示せず）に対して油の供給方向を切り替えるように機能する。尚、図には明示していないが、本実施の形態で適用する油圧コントロールバルブ２０は、スプールを中立状態に復帰させるための中立バネを内蔵し、操作レバー１０に加えた操作力を除去した場合に中立位置に復帰するように動作する。
【００２２】
これらの油圧コントロールバルブ２０は、バルブ入力部２２を上方に向け、かつバルブ入力部２２が車両の左右方向に沿って一列に並ぶ状態で、ユニット支持体３０の下端部に支持させてある。図２に示すように、油圧コントロールバルブ２０を配設する位置は、フロアパネルＦＬよりも下方である。
【００２３】
それぞれのバルブ入力部２２には、係合部材７０を介してリンク部材６０の下端部が接続してある。係合部材７０は、図１及び図５に示すように、リンク部材６０とほぼ同じ外径の円柱状を成す係合軸部７１と、係合軸部７１の上下両端部に設けた太径の係合基部７２，７３とを有したものである。この係合部材７０は、下方の係合基部７３を介して油圧コントロールバルブ２０のバルブ入力部２２に連結してあるとともに、上方の係合基部７２を介してリンク部材６０の下端部に連結してある。係合部材７０の２つの係合基部７２，７３には、係合軸部７１に近接する端部が係合軸部７１に向かう従って漸次外径が小さくなるテーパ部７２ａ，７３ａが形成してある。また、係合軸部７１と上下２つの係合基部７２，７３とは、互いに軸心を合致させた状態にあり、係合軸部７１と各係合基部７２，７３との間に２つの当接端面７２ｂ，７３ｂを構成している。当接端面７２ｂ，７３ｂは、それぞれ係合軸部７１の周囲に円環状に広がる平面であり、係合基部７２，７３の軸心に直交し、かつ互いに平行となるように設けてある。
【００２４】
図１に示すように、油圧コントロールバルブ２０のバルブ入力部２２は、操作レバー１０の出力部１３と同じ間隔で左右に並設してある。従って、これら油圧コントロールバルブ２０のバルブ入力部２２と操作レバー１０の出力部１３との間を接続するリンク部材６０は、互いに等間隔で相互に平行に配置された状態にある。
【００２５】
一方、このフォークリフトには、フロアパネルＦＬよりも下方となる部位にストッパプレート（ストッパ部材）８０が配設してある。ストッパプレート８０は、図１、図３、図４、図６−１及び図６−２に示すように、並設した５つの油圧コントロールバルブ２０の左右方向に沿った合計寸法よりも大きな長さを有し、かつ係合部材７０に設けた２つの当接端面７２ｂ，７３ｂの相互間距離よりもわずかに小さい板厚を有した板状を成すものである。ストッパプレート８０の両端部には、それぞれが長手方向に延び、かつ個々の短辺に開口するガイド溝８１が形成してある。このストッパプレート８０は、ブラケット本体９０を介してユニット支持体３０に支持させてある。
【００２６】
図４に示すブラケット本体９０は、ストッパプレート８０とほぼ同等の長さを有した基準板９１と、基準板９１の両端部に対向する態様で配設した一対のガイド板９２，９３と、基準板９１及びガイド板９２の間を連結する連結板９４と、基準板９１及びガイド板９３の間を連結する連結板９５と、ガイド板９２及び基準板９１の間に設けたガイドピン９６と、ガイド板９３及び基準板９１の間に設けたガイドピン９７とを備えて構成したものである。このブラケット本体９０は、基準板９１が油圧コントロールバルブ２０の上方域を覆い、かつ基準板９１とガイド板９２，９３との間隙の位置が係合部材７０の係合軸部７１に合致する状態で、連結板９４，９５を介してユニット支持体３０に取り付けてある。
【００２７】
ブラケット本体９０に対してストッパプレート８０は、両端部のガイド溝８１にそれぞれガイドピン９６，９７を挿通させた状態で両端部が基準板９１とガイド板９２，９３との間に挿入してあり、板厚方向への移動が阻止される一方、ガイドピン９６，９７がガイド溝８１の内部を移動することで長手方向に移動することは可能である。図６−１及び図６−２に示すように、ブラケット本体９０の基準板９１は、ストッパプレート８０が油圧コントロールバルブ２０の各バルブ入力部２２に直接対向できるように、ガイド板９２，９３の間に位置する部分の幅が狭く構成してある。
【００２８】
ストッパプレート８０において油圧コントロールバルブ２０の各バルブ入力部２２に対応する部分には、それぞれ個別の解除用切欠８２が設けてある。解除用切欠８２は、ストッパプレート８０の一側縁に開口し、かつ係合部材７０の係合基部７２，７３を挿通可能とする大きさの切欠である。それぞれの解除用切欠８２には、対応する係合部材７０の係合軸部７１が配設されている。ストッパプレート８０の解除用切欠８２には、長手方向に沿った直線上となる位置にそれぞれ係合部８３が形成してある。係合部８３は、係合部材７０の係合軸部７１に嵌合可能となる大きさに形成した略半円形状の凹所である。これらの係合部８３は、それぞれがストッパプレート８０の一方の短辺に向けて開口し（図６−２では左方）、かつ互いの間にリンク部材６０の相互間隔に等しい距離を確保して形成してある。図からも明らかなように、係合部８３の両側となる部位には、それぞれ一対の傾斜案内面８４が形成してある。一対の傾斜案内面８４は、係合部８３から離隔するに従って漸次相互間距離が大きくなるように形成した平面である。
【００２９】
ブラケット本体９０には、引張バネ（付勢部材）１００及び電磁ソレノイド（アクチュエータ）１１０が設けてある。引張バネ１００は、ブラケット本体９０の一方のガイド板９２に設けたバネ掛け片９８と、ストッパプレート８０に設けたバネ掛け部８５との間に介在し、ブラケット本体９０に対してストッパプレート８０を常時一方方向に付勢するものである。引張バネ１００が付勢する方向は、図６−１中の矢印ａで示すように、ストッパプレート８０に形成した係合部８３の開口と、これに対向するガイド板９２との相互間距離が小さくなる方向である。
【００３０】
電磁ソレノイド１１０は、励磁された場合にソレノイド本体１１１に対してプランジャ１１２を縮退方向に移動させるアクチュエータであり、ブラケット本体９０に設けたソレノイド支持部９９の下面にソレノイド本体１１１を介して取り付けてある。より具体的には、プランジャ１１２の先端がストッパプレート８０のバネ掛け部８５に向き、かつプランジャ１１２の軸心がストッパプレート８０の長手方向に沿う状態で、ソレノイド本体１１１を介してブラケット本体９０のソレノイド支持部９９に取り付けてある。プランジャ１１２の先端部には、ターンバックル１１３を介してストッパプレート８０のバネ掛け部８５が接続してある。
【００３１】
この電磁ソレノイド１１０は、消磁されている場合、上述した引張バネ１００によってプランジャ１１２がソレノイド本体１１１から引き出された状態となる。一方、電磁ソレノイド１１０が励磁された場合には、引張バネ１００の引張力に抗してプランジャ１１２をソレノイド本体１１１に引き込むことが可能である。
【００３２】
上記のように構成した荷役操作ユニット部１では、運転席（図示せず）に操作者が着座していない場合、電磁ソレノイド１１０が消磁された状態に維持される。電磁ソレノイド１１０が消磁された状態では、引張バネ１００によって電磁ソレノイド１１０のプランジャ１１２がソレノイド本体１１１から引き出され、図６−１に示すように、ストッパプレート８０に設けた係合部８３がそれぞれ係合部材７０の係合軸部７１に嵌合した状態に維持される（係合位置）。係合部材７０の係合軸部７１がストッパプレート８０の係合部８３に嵌合した場合には、係合部材７０の当接端面７２ｂ，７３ｂがそれぞれストッパプレート８０に当接することになり、ストッパプレート８０に対して係合部材７０の軸心方向に沿った移動が阻止される。
【００３３】
上述したように、ストッパプレート８０は、ブラケット本体９０の基準板９１とガイド板９２，９３との間に配設されているため、板厚方向、つまり係合部材７０の軸心方向に沿って移動することはない。これらの結果、運転席に操作者が着座していない状態では、係合部材７０とストッパプレート８０との協働により、すべてのリンク部材６０の上下方向に沿った移動が阻止されることになり、仮に操作レバー１０の操作部１２に外力を加えたとしても、油圧コントロールバルブ２０が動作することはなく、フォークの位置や状態が変更することもない。
【００３４】
一方、運転席に操作者が着座すると、図示せぬメインコントローラからの指令によって電磁ソレノイド１１０が励磁され、図６−２に示すように、引張バネ１００の引張力に抗してプランジャ１１２がソレノイド本体１１１に引き込まれる（解除位置）。この状態においては、ストッパプレート８０の係合部８３がそれぞれ係合部材７０の係合軸部７１から離隔して解除用切欠８２に位置し、係合部材７０の当接端面７２ｂ，７３ｂの間からストッパプレート８０が逸脱する。従って、この状態から操作レバー１０の操作部１２を支持軸部材４０の軸心４０ａを中心として回転操作させれば、係合部材７０の係合基部７２，７３が解除用切欠８２に進入することでリンク部材６０が適宜上下方向に沿って移動することになり、バルブ入力部２２を介して油圧コントロールバルブ２０を切り替え動作させることができるようになる。
【００３５】
さらに、操作者が運転席から離れると、メインコントローラ（図示せず）からの指令によって電磁ソレノイド１１０が消磁され、引張バネ１００によって電磁ソレノイド１１０のプランジャ１１２が引き出されて図６−１に示す状態に復帰する（係合位置）。これにより、ストッパプレート８０に設けた係合部８３がそれぞれ係合部材７０の係合軸部７１に嵌合し、すべてのリンク部材６０の上下方向に沿った移動が阻止されるため、フォークの位置や状態が不用意に移動することなく現在の状態を維持する。
【００３６】
このとき、係合軸部７１の位置が前後左右にずれていたとしても、係合部８３の開口部に設けた傾斜案内面８４の作用によって係合軸部７１が係合部８３に案内されることになる。また、係合軸部７１の位置が上下にずれていた場合にも、ストッパプレート８０が係合部材７０のテーパ部７２ａ，７３ａに当接するため、テーパ部７２ａ，７３ａの傾斜作用によって係合軸部７１が係合部８３に案内されるようになる。
【００３７】
このように、上述した荷役操作ユニット部１を備えるフォークリフトによれば、運転席に操作者が着座していない場合、ストッパプレート８０を係合部材７０に係合させることにより、油圧コントロールバルブ２０の動作を防止することができ、フォークの位置や状態が不用意に変更する事態を招来する恐れがない。しかも、複数の係合部材７０に対して共通のストッパプレート８０を適用するようにしているため、部品点数の増大を抑えることが可能である。
【００３８】
さらに、操作レバー１０と油圧コントロールバルブ２０との間をリンク部材６０によって接続するとともに、リンク部材６０においてフロアパネルＦＬよりも下方となる部位に係合部材７０を設けるようにしているため、ダッシュボード５０の近傍に部品を配置する必要がなく、適用するフォークリフトに良好な前方視界を確保することができる。
【００３９】
尚、上述した実施の形態では、ストッパプレート８０、電磁ソレノイド１１０、引張バネ１００を共通のブラケット本体９０に支持させてユニット化し、このユニット化したものをユニット支持体３０に支持させるように構成している。このため、ストッパプレート８０、電磁ソレノイド１１０、引張バネ１００に関しては、予め相互の位置決めを実施しておくことで、組立作業の容易化を図ることができる。また、リンク部材６０に設けた係合部材７０との位置決めについては、ユニット支持体３０に対するブラケット本体９０の位置を調整すれば良いため、その作業も容易に行うことができる。しかしながら、本発明では、必ずしもブラケット本体９０に電磁ソレノイド１１０や引張バネ１００を設ける必要はなく、ユニット支持体３０に直接設けるようにしても構わない。
【００４０】
また、上述した実施の形態では、５つの操作レバー１０と５つの油圧コントロールバルブ２０とを備えた、比較的大型のフォークリフトを例示したが、操作レバー１０及び油圧コントロールバルブ２０の数は必ずしも５つに限らない。
【００４１】
さらに、上述した実施の形態では、電磁ソレノイド１１０が消磁された場合に引張バネ１００によってストッパプレート８０の係合部８３を係合部材７０に係合させるように構成しているが、その逆の態様であっても構わない。また、付勢手段として引張バネ１００を適用しているが、押圧することによってストッパプレート８０の係合部８３を係合部材７０に係合させるように構成することも可能である。尚、アクチュエータとしては必ずしも電磁ソレノイド１１０を適用する必要はなく、例えばシリンダ等、その他のアクチュエータを適用しても良い。ストッパ部材としてもプレート状のものを適用する必要はなく、係合部材７０に係合してその移動を阻止できれば、如何なる形状のものであっても構わない。
【符号の説明】
【００４２】
１０      操作レバー
１１      操作基部
１２      操作部
１３      出力部
２０      油圧コントロールバルブ
２１      バルブ本体
２２      バルブ入力部
２２      各バルブ入力部
３０      ユニット支持体
３１      支持部材
４０      支持軸部材
４０ａ      軸心
５０      ダッシュボード
６０      リンク部材
７０      係合部材
７１      係合軸部
７２，７３      係合基部
７２ａ，７３ａ      テーパ部
７２ｂ，７３ｂ      当接端面
８０      ストッパプレート
８２      解除用切欠
８３      係合部
９０      ブラケット本体
１００      引張バネ
１１０      電磁ソレノイド
ＦＬ      フロアパネル
【要約】      （修正有）【課題】前方の視界を妨げることなく、フォークの不用意な移動を確実に防止する。【解決手段】フロアパネルＦＬよりも下方に配設した油圧コントロールバルブ２０のバルブ入力部２２と、対応する操作レバー１０との間をリンク部材６０によって連係させ、操作レバー１０を介してリンク部材６０を上下に移動させることにより、油圧コントロールバルブ２０を動作させるものであって、リンク部材６０においてフロアパネルＦＬよりも下方となる位置に設けた係合部材７０及びストッパプレート８０を備え、ストッパプレート８０は、係合部が係合部材７０に対して係合する係合位置と係合部が係合部材７０から解除された解除位置との間を移動可能となるように配設し、係合位置に配置された場合にはリンク部材６０の上下方向に沿った移動を規制する。【選択図】図１【図１】
0005162019.tif 000002
【図２】
0005162019.tif 000003
【図３】
0005162019.tif 000004
【図４】
0005162019.tif 000005
【図５】
0005162019.tif 000006
【図６−１】
0005162019.tif 000007
【図６−２】
0005162019.tif 000008